(57)【要約】【課題】清掃部材の振動の発生を抑制すること。【解決手段】被清掃体（ＰＲ）に対向して配置され、前記被清掃体（ＰＲ）から回収された回収物を収容する清掃容器（１）と、前記被清掃体（ＰＲ）に接触して前記被清掃体（ＰＲ）表面の付着物を清掃するゴム製の清掃部材（４）と、前記清掃部材（４）を支持し且つ前記清掃容器（１）に一端部が支持され、前記清掃部材（４）を前記被清掃体（ＰＲ）に所定の圧力で押し当てる弾性変形可能な板ばね状に形成された板ばね部材（３）と、前記板ばね部材（３）に支持され、前記板ばね部材（３）の振動を規制する制振部材（６）と、を備えた清掃器（ＣＬ１）。【選択図】図２
2008249957.tif 000002
【特許請求の範囲】
【請求項１】
被清掃体に対向して配置され、前記被清掃体から回収された回収物を収容する清掃容器と、
前記被清掃体に接触して前記被清掃体表面の付着物を清掃するゴム製の清掃部材と、
前記清掃部材を支持し且つ前記清掃容器に一端部が支持され、前記清掃部材を前記被清掃体に所定の圧力で押し当てる弾性変形可能な板ばね状に形成された板ばね部材と、
前記板ばね部材に支持され、前記板ばね部材の振動を規制する制振部材と、
を備えたことを特徴とする清掃器。
【請求項２】
前記清掃部材が支持される板ばね部材の支持面の裏面側で且つ、前記板ばね部材に支持された前記清掃部材の一端部に対応する位置に支持された前記制振部材、
を備えたことを特徴とする請求項１に記載の清掃器。
【請求項３】
表面に画像が形成される被清掃体としての像保持体と、
前記像保持体表面に付着した付着物を清掃する請求項１または２に記載の清掃器と、
を備えたことを特徴とする像保持体ユニット。
【請求項４】
表面に潜像が形成される被清掃体としての像保持体と、
前記像保持体表面の潜像を可視像に現像する現像器と、
前記像保持体表面の可視像を媒体に転写する転写器と、
転写後の前記像保持体表面の付着物を清掃する請求項１または２に記載の清掃器と、
を備えたことを特徴とする画像形成装置。
【発明の詳細な説明】
【技術分野】
【０００１】
本発明は、被清掃体を清掃する清掃器、前記清掃器を備えた像保持体ユニットおよび前記清掃体を備えた画像形成装置に関する。
【背景技術】
【０００２】
一般に、電子写真方式の画像形成装置では、像保持体表面に形成された画像がシートへ転写された後、像担持体表面上に付着した転写残トナーや紙粉、放電生成物等の付着物が、像担持体回転方向下流側に設置されたクリーニング装置によって回収される。前記クリーニング装置として、ブレード状のクリーニングブレードを使用するものが広く採用されている。
【０００３】
前記ブレード状部材を使用してトナーを掻き取る技術として、下記の従来技術（Ｊ01）、（Ｊ02）が従来公知である。
（Ｊ01）特許文献１（特開平８−７６６３号公報）記載の技術
特許文献１には、板状ゴム部材（２２）が感光体（３０）に押圧されて変形した状態における、板状ゴム部材（２２）の辺（２２ａ）が感光体（３０）の表面に接触した位置での感光体（３０）の表面の接線（３２）と、板状ゴム部材（２２）の表面（２２ｂ）のうち、感光体（３０）に接触している部分（２２Ｃ）を延長した線（３４）とのなす角度θと、板状ゴム部材（２２）の硬度を調整することにより、クリーニングブレードの押圧力を比較的低く抑え、クリーニング性能を向上させる技術が記載されている。
【０００４】
（Ｊ02）特許文献２（特開平４−１７２４８６号公報）記載の技術
特許文献２には、弾性変形可能な板状バネ部材（２）とブレード状ゴム部材（３）とにより構成されたクリーニングブレード（１８）により感光体ドラム（１２）表面上を清掃する技術が記載されている。前記特許文献２記載の技術では、板状バネ部材（２）を弾性変形させることにより板状ゴム部材（３）を押圧して板状ゴム部材（３）の変形をできるだけ少なくすることで、板状バネ部材がなくてゴムのみで構成された特許文献１のようなクリーニングブレードの場合に比べてブレード状ゴム部材（３）の「へたり」を抑えて押圧力の低下を低減している。また、板状バネ部材（２）が弾性変形可能なため、ブレード状ゴム部材（３）の低温化での反発弾性の低下による押圧力の低下を低減している。
【０００５】
【特許文献１】特開平８−７６６３号公報（第２頁目右下欄第２０行〜第３頁目左上欄第１４行、図３）
【特許文献２】特開平４−１７２４８６号公報（「００１０」〜「００２２」、図２）
【発明の開示】
【発明が解決しようとする課題】
【０００６】
（従来技術の問題点）
しかしながら、ロングライフを目指すことで、昨今の感光体の表面層は従来の感光体（１２）の表面層よりも硬くなってきており、また、放電生成物の除去も困難となってきているため、感光体とクリーニングブレードとの摩擦力は大きくなってきている。前記摩擦力が大きくなることにより、前記ブレード状ゴム部材（３）が感光体ドラム（１２）の回転により連れて巻き込まれる力を受け板状バネ部材（２）が変形しやすくなる。板状バネ部材（２）の変形が大きくなると、弾性で板状バネ部材（２）が元に戻り、前記板状バネ部材（２）が弾性復元力により振動したり、異音（いわゆる「ブレード鳴き」）が発生するという問題があった。特に、板状バネ部材（２）が薄く形成されている場合には、感光体ドラム（１２）に巻き込まれるような力を受けた時に前記板状バネ部材（２）が座屈して、板状バネ部材（２）がうねるように変形することがある。この場合にも板状バネ部材（２）の弾性復元力で戻る際に、振動や異音が発生する問題があった。
【０００７】
本発明は、前述の事情に鑑み、次の記載内容（Ｏ01）を技術的課題とする。
（Ｏ01）清掃部材の振動の発生を抑制すること。
【課題を解決するための手段】
【０００８】
次に、前記課題を解決した本発明を説明するが、本発明の構成要素と後述の実施例の構成要素との対応を容易に理解できるようにするため、本発明の構成要素の直後に実施例の構成要素の符号をカッコ（）で囲んで付記する。
なお、本発明を後述の実施例の符号と対応させて説明する理由は、本発明の理解を容易にするためであり、本発明の範囲を実施例に限定するものではない。
【０００９】
（第１発明）
前記課題を解決するため第１発明の清掃器（ＣＬ１）は、
被清掃体（ＰＲ）に対向して配置され、前記被清掃体（ＰＲ）から回収された回収物を収容する清掃容器（１）と、
前記被清掃体（ＰＲ）に接触して前記被清掃体（ＰＲ）表面の付着物を清掃するゴム製の清掃部材（４）と、
前記清掃部材（４）を支持し且つ前記清掃容器（１）に一端部が支持され、前記清掃部材（４）を前記被清掃体（ＰＲ）に所定の圧力で押し当てる弾性変形可能な板ばね状に形成された板ばね部材（３）と、
前記板ばね部材（３）に支持され、前記板ばね部材（３）の振動を規制する制振部材（６）と、
を備えたことを特徴とする。
【００１０】
（第１発明の作用）
前記構成を備えた第１発明の清掃器（ＣＬ１）では、清掃容器（１）は前記被清掃体（ＰＲ）に接触して前記被清掃体（ＰＲ）表面の付着物を清掃するゴム製の清掃部材（４）を支持し且つ被清掃体（ＰＲ）に対向して配置され、前記被清掃体（ＰＲ）から回収された回収物を収容する。板ばね部材（３）は前記清掃容器（１）に一端部が支持され、前記清掃部材（４）を前記被清掃体（ＰＲ）に所定の圧力で押し当てる弾性変形可能な板ばね状に形成されている。制振部材（６）は前記板ばね部材（３）に支持され、前記板ばね部材（３）の振動を規制する。
したがって第１発明の清掃器（ＣＬ１）では、制振部材（６）により板ばね部材（３）の振動が規制されるので、うねり、変形、振動に起因する異音（ブレード鳴き）を抑制することができる。
【００１１】
（第１発明の形態１）
第１発明の形態１の清掃器（ＣＬ１）は第１発明において、
前記清掃部材（４）が支持される板ばね部材（３）の支持面の裏面側で且つ、前記板ばね部材（３）に支持された前記清掃部材（４）の一端部に対応する位置に支持された前記制振部材（６）、
を備えたことを特徴とする。
（第１発明の形態１の作用）
前記構成を備えた第１発明の形態１の清掃器（ＣＬ１）では、前記制振部材（６）は前記清掃部材（４）が支持される板ばね部材（３）の支持面の裏面側で且つ、前記板ばね部材（３）に支持された前記清掃部材（４）の一端部に対応する位置に支持されている。
したがって、第１発明の形態１では、異音の発生を効果的に抑制することができる。
【００１２】
（第２発明）
第２発明の像保持体ユニット（Ｇ）は、
表面に画像が形成される被清掃体（ＰＲ）としての像保持体（ＰＲ）と、
前記像保持体（ＰＲ）表面に付着した付着物を清掃する第１発明または第１発明の形態１に記載の清掃器（ＣＬ１）と、
を備えたことを特徴とする。
【００１３】
（第２発明の作用）
前記構成を備えた第２発明の像保持体ユニット（Ｇ）は、表面に画像が形成される被清掃体（ＰＲ）としての像保持体（ＰＲ）と、前記像保持体（ＰＲ）表面に付着した付着物を清掃する第１発明または第１発明の形態１に記載の清掃器（ＣＬ１）とを有している。
したがって、第２発明の像保持体ユニット（Ｇ）では、像保持体（ＰＲ）清掃時に、清掃部材（４）の掻き取り動作時に板ばね部材（３）のうねり、変形、振動に起因する異音（ブレード鳴き）を抑制することができる。
【００１４】
（第３発明）
第３発明の画像形成装置（Ｕ）は、
表面に潜像が形成される被清掃体（ＰＲ）としての像保持体（ＰＲ）と、
前記像保持体（ＰＲ）表面の潜像を可視像に現像する現像器（Ｄ）と、
前記像保持体（ＰＲ）表面の可視像を媒体（Ｓ）に転写する転写器（ＴＲ）と、
転写後の前記像保持体（ＰＲ）表面の付着物を清掃する第１発明または第１発明の形態１に記載の清掃器（ＣＬ１）と、
を備えたことを特徴とする。
【００１５】
（第３発明の作用）
前記構成を備えた第３発明の画像形成装置（Ｕ）では、現像器（Ｄ）は、表面に潜像が形成される被清掃体（ＰＲ）としての像保持体（ＰＲ）表面の潜像を可視像に現像する。転写器（ＴＲ）は像保持体（ＰＲ）表面の可視像を媒体（Ｓ）に転写する。第１発明または第１発明の形態１に記載の清掃器（ＣＬ１）は転写後の前記像保持体（ＰＲ）表面の付着物を清掃する。
したがって、第３発明の画像形成装置（Ｕ）では、清掃部材（４）の掻き取り動作時に板ばね部材（３）のうねり、変形、振動に起因する異音（ブレード鳴き）を抑制することができる。
【発明の効果】
【００１６】
前述の本発明は、下記の効果（Ｅ01）を奏する。
（Ｅ01）清掃部材の振動の発生を抑制することができる。
【発明を実施するための最良の形態】
【００１７】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１８】
図１は本発明の実施例１の画像形成装置の全体説明図で断面図である。
図１において、画像形成装置Ｕは、上面にプラテンガラス（透明な原稿台）ＰＧを有する画像形成装置本体としてのデジタル式の複写機本体Ｕ１と、前記プラテンガラスＰＧ上に着脱自在に装着される自動原稿搬送装置（オートドキュメントフィーダ、ＡＤＦ）Ｕ２とを備えている。
前記自動原稿搬送装置Ｕ２は、複写しようとする複数の原稿Ｇｉが重ねて載置される原稿給紙トレイＴＧ１を有している。前記原稿給紙トレイＴＧ１に載置された複数の各原稿Ｇｉは順次プラテンガラスＰＧ上の複写位置（プラテンロールＧＲ１の圧接位置）を通過して原稿排出ロールＧＲ２から原稿排紙トレイＴＧ２に排出されるように構成されている。
【００１９】
前記複写機本体Ｕ１は、前記プラテンガラスＰＧを有するイメージスキャナＵ１ａおよびプリンタＵ１ｂを有している。
【００２０】
（イメージスキャナＵ１ａ）
前記イメージスキャナＵ１ａは、プラテンレジ位置に配置された露光系レジセンサ（プラテンレジセンサ）Ｓｐ、および露光光学系Ａを有している。
前記露光光学系Ａは、その移動および停止が露光系レジセンサＳｐの検出信号により制御され、常時はホーム位置に停止している。
前記自動原稿搬送装置（オートドキュメントフィーダ）Ｕ２を使用して複写を行うＡＤＦモードの場合は、前記露光光学系Ａはホーム位置に停止した状態で、プラテンガラスＰＧ上の複写位置を順次通過する各原稿Ｇｉを露光する。
原稿Ｇｉを作業者が手でプラテンガラスＰＧ上に置いて複写を行うプラテンモードの場合、露光光学系Ａは移動しながらプラテンガラスＰＧ上の原稿Ｇｉを露光走査する。
露光された前記原稿Ｇｉからの反射光は、前記露光光学系Ａを通ってＣＣＤ（固体撮像素子）上に収束される。前記ＣＣＤは、その撮像面上に収束された原稿反射光を電気信号に変換する。
【００２１】
（プリンタＵ１ｂ）
ＩＰＳ（イメージプロセッシングシステム、すなわち画像処理部）は、前記ＣＣＤから入力された読取画像信号をデジタルの画像書込信号に変換してプリンタＵ１ｂのレーザ駆動信号出力装置ＤＬに出力する。
プリンタＵ１ｂのコントローラＣにより動作タイミングを制御される前記レーザ駆動信号出力装置ＤＬは、入力された画像データに応じたレーザ駆動信号をＲＯＳ（潜像書込走査装置）に出力する。
前記ＲＯＳの下方に配置された像担持体（被清掃体、像保持体）ＰＲは、矢印Ｙａ方向に回転する。前記像担持体ＰＲ表面は、帯電領域Ｑ０において帯電ロール（帯電器、チャージロール）ＣＲにより例えば−（マイナス）７００Ｖに帯電された後、潜像書込位置Ｑ１において前記ＲＯＳ（潜像書込装置）のレーザビームＬにより露光走査されて例えば−３００Ｖの静電潜像が形成される。前記像担持体ＰＲへのレーザビームＬによる潜像形成は、シートセンサ（図示せず）がシート（媒体）Ｓ先端を検知してから所定の時間経時後に開始される。前記静電潜像が形成された像担持体ＰＲ表面は回転移動して現像領域Ｑ２、シート転写領域（画像記録位置）Ｑ４を順次通過する。
【００２２】
前記現像領域Ｑ２において前記静電潜像を現像する現像器（現像装置）Ｄは、−（マイナス）帯電極性のトナーおよびプラス帯電極性のキャリアを含む現像剤を現像ロールＲ０により現像領域Ｑ２に搬送し、前記現像領域Ｑ２を通過する像担持体ＰＲ上の静電潜像をトナー像Ｔｎに現像する。
前記シート転写領域（画像記録位置）Ｑ４において前記像担持体ＰＲに対向する転写ロール（転写器）ＴＲは、像担持体ＰＲ表面のトナー像ＴｎをシートＳに転写する部材であり、現像器Ｄで使用される現像用のトナーの帯電極性と逆極性の転写電圧が電源回路Ｅから供給される。前記帯電ロールＣＲに印加する帯電バイアス、現像ロールＲ０に印加する現像バイアス、転写ロールＴＲに印加する転写バイアス等のバイアス、後述の定着装置Ｆの加熱ロールのヒータを加熱するヒータ電源等を有する電源回路Ｅは前記コントローラＣにより制御される。
【００２３】
複写機本体Ｕ１の下部には第１給紙トレイＴＲ１および第２給紙トレイＴＲ２が上下に並んで配置されている。
前記第１給紙トレイＴＲ１および第２給紙トレイＴＲ２の右端部の上端部には取出ロール（ピックアップロール）Ｒｐが配置されており、前記取出ロールＲｐにより取り出されたシートは給紙トレイＴＲ１，ＴＲ２の右側の給紙路ＳＨ０に搬送される。
給紙路ＳＨ０には、給紙部材Ｒｓが配置されており、給紙部材Ｒｓは、互いに圧接する部分によりニップ部を形成する給紙ロールＲｓ１および分離ロール（分離部材）Ｒｓ２を有している。前記ニップ部に搬送されたシートは給紙部材Ｒｓにより１枚づつ分離されて、給紙路ＳＨ０の下流側の上下方向に延びる上下方向シート搬送路ＳＨ１に搬送される。上下方向シート搬送路ＳＨ１には、正逆回転可能な搬送ロール（正逆転回転搬送ロール）Ｒｂが配置されている。上下方向シート搬送路ＳＨ１に搬送された前記シートＳは正逆転回転可能な搬送ロールＲｂにより、上方の上流側シート搬送路ＳＨ２に搬送される。
【００２４】
転写前シート搬送路ＳＨ２に搬送されたシートＳは、搬送ロールＲａによりレジロールＲｒに搬送される。前記レジロールＲｒに搬送されたシートＳは、前記像担持体ＰＲ上のトナー像Ｔｎがシート転写領域（画像記録位置）Ｑ４に移動するのにタイミングを合わせて、転写前シートガイドＳＧ１からシート転写領域Ｑ４に搬送される。
前記像担持体ＰＲ表面に現像されたトナー像Ｔｎは、前記シート転写領域Ｑ４において、転写ロールＴＲによりシートＳに転写される。転写後、像担持体ＰＲ表面は、感光体クリーナ（清掃器）ＣＬ１によりクリーニングされて残留トナーが除去され、次に感光体除電器ＪＬにより除電されてから前記帯電ロールＣＲにより再帯電される。
前記像担持体ＰＲ、帯電ロールＣＲ、ＲＯＳ（潜像書込装置）、現像器Ｄ、感光体クリーナＣＬ１等によりトナー像形成装置（像保持体ユニット）Ｇ（ＰＲ＋ＣＲ＋ＲＯＳ＋Ｄ）が構成されている。
【００２５】
前記シート転写領域Ｑ４のシート搬送方向下流側には、前記シート転写領域Ｑ４でトナー像Ｔｎが記録された記録済シートＳを定着領域Ｑ５に搬送する転写後シート搬送路ＳＨ３が設けられている。シート転写領域Ｑ４において転写ロールＴＲによりトナー像が転写された前記シートＳは、像担持体ＰＲ表面から剥離され、前記転写後シート搬送路ＳＨ３のシートガイドＳＧ２、シート搬送ベルトＢＨにより定着領域Ｑ５に搬送される。前記シートＳは、定着領域Ｑ５を通過する際に定着装置Ｆの一対の定着ロール（加熱ロールＦｈ，加圧ロールＦｐ）によりトナー像が加熱定着されてから、シート排出路ＳＨ４を通って前記排紙トレイＴＲｈに搬送される。
前記シート排出路ＳＨ４には、前記定着装置Ｆの下流側に切替ゲート（シート搬送方向制御部材）ＧＴ１が配置されている。切替ゲートＧＴ１は、前記定着装置Ｆを通過したシートＳの搬送方向を前記排紙トレイＴＲｈ側またはシート反転接続路ＳＨ５のいずれかの方向に切り替える。シート反転用接続路ＳＨ５は、前記シート排出路ＳＨ４の上流端と（定着装置Ｆの下流側部分）と前記上下方向シート搬送路ＳＨ１とを接続する。
【００２６】
両面複写の場合、１面目のトナー像が記録された片面記録済シートＳは、前記切替ゲートＧＴ１によりシート反転接続路ＳＨ５から、マイラーゲートＧＴ２を通って前記給紙路ＳＨ０上端の正逆回転搬送ロールＲｂにより給紙路ＳＨ０の下方に搬送されてからスイッチバックして反転した状態で上方の転写前シート搬送路ＳＨ２に再送される。
前記反転して転写前シート搬送路ＳＨ２に再送された片面記録済シートＳは、前記シート転写領域（画像記録位置）Ｑ４に再送され、２面目にトナー像が転写される。
【００２７】
前記符号ＳＨ０，Ｒｐ，Ｒｓ等で示された要素により給紙装置ＵＴが構成されている
前記符号ＳＨ１〜ＳＨ５により示された要素によりシート搬送路ＳＨが構成されている。
前記シート搬送路ＳＨおよびそこに配置されたシート搬送機能を有するローラＲａ，Ｒｂ，Ｒｒ等によりシート搬送装置ＵＳが構成されている。
【００２８】
図２は本発明の実施例１の要部拡大図である。
図２において、前記感光体クリーナＣＬ１は回収された残留トナーが収容されるクリーナ本体（清掃容器）１を有する。前記クリーナ本体１には前記像担持体ＰＲ表面から除去された残留トナーをクリーナ本体１内部に回収するための開口部１ａが形成されている。前記クリーナ本体１の上端部には、ブレード支持部１ｂが形成されている。前記ブレード支持部１ｂには、ブレード取付部材２が支持されており、ブレード取付部材２の先端部には、板ばね部材３が支持されている。前記板ばね部材３の先端部には、像担持体ＰＲの軸方向に延び、像担持体ＰＲ表面に接触して像担持体ＰＲ表面上を搬送される残留トナーを掻き取るクリーニングブレード（清掃部材）４が支持されている。前記板ばね部材３には、クリーニングブレード４が支持された反対側の面で且つ、クリーニングブレード４の上端に対応する位置に制振部材６が貼り付けられている。なお実施例１では、前記板ばね部材３として、板厚を８０μｍ程度に形成したＳＵＳ３０４材を使用しており、前記クリーニングブレード４として、ポリウレタンゴムを使用し、前記制振部材６として、高密度で均一なセル構造を持つウレタンフォーム、いわゆる、マイクロセルポリマーを使用している。
【００２９】
前記クリーナ本体１の内部には、クリーニングブレード４の像担持体ＰＲ回転方向上流側で像担持体ＰＲ表面に接触するクリーニングブラシ７が支持されている。
また、クリーナ本体１の内部には、クリーニングブレード４およびクリーニングブラシ７で回収された残留トナーを図示しない廃トナー回収容器に搬送する搬送部材８が支持されている。
【００３０】
（実施例１の作用）
前記構成を備えた実施例１の画像形成装置Ｕでは、転写領域Ｑ４においてシートＳに転写されずに像担持体ＰＲ表面上に残留した残留トナーは、感光体クリーナＣＬ１まで搬送される。前記搬送された残留トナーは、クリーニングブラシ７により掃き取られるか、前記クリーニングブラシの搬送方向下流側に位置するクリーニングブレード４により掻き取られ、クリーナＣＬ１内部に回収される。前記クリーニングブレード４は、板ばね部材３により所定の力で像担持体ＰＲに押し付けられており、像担持体ＰＲの残留トナーは掻き取られる。
次に、実施例１の実験例および比較例を以下に示す。
【００３１】
（制振部材の貼付け位置による消音効果実験）
図３は制振材の貼付け位置による消音効果実験の説明図であり、図３Ａは実験においての制振材の貼付け位置を示す図、図３Ｂは実験結果を表した図である。
図３において本実験例では、以下に示す５箇所の貼り付け位置に制振部材６を貼り付け、５箇所の貼り付け位置間での板ばね部材３の変形振動による異音の改善効果の違いを比較した。
実験例１：板ばね部材３のクリーニングブレード４が支持された面で且つ、ブレード取付部材２の先端部に対応する位置。
実験例２：板ばね部材３のクリーニングブレード４が支持された面で且つ、ブレード取付部材２とクリーニングブレード４の間の位置。
実験例３：板ばね部材３のクリーニングブレード４が支持された反対側の面で且つ、クリーニングブレード４の上端に対応する位置（実施例１）。
実験例４：板ばね部材３のクリーニングブレード４が支持された反対側の面で且つ、クリーニングブレード４の中間部に対応する位置。
実験例５：板ばね部材３のクリーニングブレード４が支持された反対側の面で且つ、クリーニングブレード４の下端に対応する位置。
（比較例）
なお、前記異音の改善効果は、「○」：改善した（異音発生をほぼ抑制した）と、「△」：やや改善した（異音が発生したが、制振部材６を貼り付けない比較例と比較して低減した）および「×」：改善せず、の３段階により判断した。
制振部材６を貼り付けない実験の結果、図３Ｂに示すように実験例１，２，４，５の場合には、比較例に比べて「△」（やや改善した）となり、異音が発生したがある程度は低減できた。実験例３の場合には、「○」（改善した）となり、異音発生をほぼ防止することができた（図３Ｂ参照）。
【００３２】
したがって、実施例１では、板ばね部材３に制振部材６が貼り付けられていることにより、前記クリーニングブレード４の掻き取り動作時に板ばね部材３のうねり、変形、振動に起因する異音（ブレード鳴き）を抑制することができる。特に実施例１では実験例３で確認されたように、クリーニングブレード４が支持された反対側の面で且つ、制振部材６がクリーニングブレード４の上端に対応する位置、すなわち剛性が変化する部分に貼り付けられているので、異音の発生を効果的に抑制することができる。
【００３３】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ04）を下記に例示する。
（Ｈ01）本発明は、複写機とプリンタとが一体化された複合機としての画像形成装置Ｕに限定されず、例えば、ＦＡＸ等の機能が追加された画像形成装置や、複写機、プリンタ、ＦＡＸ等の複合機ではない画像形成装置にも適用可能である。また、モノクロの画像形成装置に限定されず、カラーの画像形成装置にも適用可能である。
（Ｈ02）前記実施例１おいて、制振部材６の材料としてマイクロセルポリマーを使用したが、これに限定されず、粘性の大きな樹脂材料、例えば、やポリエチレンフォームやクロロプレンスポンジ等を使用可能である。
（Ｈ03）前記実施例１おいて、板ばね部材３の材料としてＳＵＳ３０４を使用したが、これに限定されず、例えばＳＵＳ３１６やＳＵＳ４３０等、その他の金属、樹脂等の板バネとして使用可能な任意の材料を使用可能である。
（Ｈ04）前記実施例１おいて、クリーニングブレード４の材料としてポリウレタンゴムを使用したが、これに限定されず、イソプレンゴムやブタジエンゴム等、その他のゴム材料を使用可能である。
【図面の簡単な説明】
【００３４】
【図１】図１は本発明の実施例１の画像形成装置の全体説明図で断面図である。
【図２】図２は本発明の実施例１の要部拡大図である。
【図３】図３は制振材の貼付け位置による消音効果実験の説明図であり、図３Ａは実験においての制振材の貼付け位置を示す図、図３Ｂは実験結果を表した図である。
【符号の説明】
【００３５】
ＣＬ１…清掃器、Ｄ…現像器、ＰＲ…被清掃体、Ｇ…像保持体ユニット、
ＴＲ…転写器、Ｕ…画像形成装置、１…清掃容器、３…板ばね部材、４…清掃部材、
６…制振部材。
【図１】
2008249957.tif 000003
【図２】
2008249957.tif 000004
【図３】
2008249957.tif 000005